(57)【要約】【課題】本発明は、従来技術よりも効果的に離乳時期の子豚の成長促進を図ることのできる飼料を提供することを目的とするものである。【解決手段】本発明は、セントジョンズウォート抽出物を有効成分とする離乳子豚の成長促進飼料を提供するものである。また、本発明は、セントジョンズウォート抽出物を飼料中、０．００１質量％以上０．０１質量％未満の割合で含有することを特徴とする請求項１記載の離乳子豚の成長促進飼料を提供するものである。【選択図】  なし【特許請求の範囲】
【請求項１】
セントジョンズウォート抽出物を有効成分とする離乳子豚の成長促進飼料。
【請求項２】
セントジョンズウォート抽出物を飼料中、０．００１質量％以上０．０１質量％未満の割合で含有することを特徴とする請求項１記載の離乳子豚の成長促進飼料。
【発明の詳細な説明】
【０００１】
【発明の属する技術分野】
本発明は、離乳時期の子豚の成長促進を図ることのできる、離乳子豚の成長促進飼料に関する。
【０００２】
【従来の技術】
高度に産業化された畜産では、高密度飼育や子豚の離乳時期を早めるなどにより、生産性向上が図られて来た。
しかしながら、これらの飼育方法の弊害は、飼育動物に対して過剰なストレスを与えていることである。
【０００３】
特に養豚においては、生後３週間で離乳させることが一般化しており、生理的にも未熟な状態である子豚は、このような環境変化に充分に対応できておらず、離乳後数日間は、離乳前に比べて増体重は低下する状態にある。この要因として、母乳から人工飼料（以下、人工乳飼料という。）の変化に対応できていないことと共に、母豚がいないことに対する子豚の精神的ストレスも大きいものと思われる。
【０００４】
この対策としては、甘味剤やフレーバーなどで飼料摂取を促進させたり、ビタミン類やアミノ酸類などの栄養素含量を増加させる手法が一般的であるが（例えば、特許文献１参照）、いまだ充分な効果は得られていない。
【０００５】
【特許文献１】
特開平１０−１４６１５６号公報
【０００６】
【発明が解決しようとする課題】
上記したように、従来の技術では、離乳子豚のように未熟であり、環境変化への対応力が低い家畜にとっては、充分に生産性を上げているとはいえない。
本発明は、従来技術よりも効果的に離乳時期の子豚の成長促進を図ることのできる飼料を提供することを目的とするものである。
【０００７】
【課題を解決するための手段】
本発明者らは、上記の目的を達成するために鋭意検討を重ねた結果、驚くべきことに、セントジョンズウォート抽出物を飼料に添加すると、離乳時期の子豚の増体重を著しく改善しうることを見出し、この知見に基いて本発明を完成するに至った。
【０００８】
ところで、セントジョンズウォート（学名：Hypericum perforatum 、和名：西洋オトギリソウ）は、ハーブの一種として従来からヒトの神経痛、リューマチ、痛風、外傷、打撲傷等に効くとされた薬草植物である。しかしながら、セントジョンズウォート抽出物が離乳時期の子豚の成長を促進する効果があることは全く知られていなかった。
【０００９】
請求項１に係る本発明は、セントジョンズウォート抽出物を有効成分とする離乳子豚の成長促進飼料を提供するものである。
請求項２に係る本発明は、セントジョンズウォート抽出物を飼料中、０．００１質量％以上０．０１質量％未満の割合で含有することを特徴とする請求項１記載の離乳子豚の成長促進飼料を提供するものである。
【００１０】
【発明の実施の形態】
以下、本発明を詳細に説明する。
まず、請求項１に係る本発明について説明する。
請求項１に係る本発明は、セントジョンズウォート抽出物を有効成分とする離乳子豚の成長促進飼料である。
【００１１】
ここでセントジョンズウォートとは、オトギリソウ科の多年草である。上記したように従来からハーブの一種として外用薬、服用薬として利用されているが、その抽出物が離乳時期の子豚の成長を促進することについては本発明者が初めて発見したものである。
【００１２】
請求項１に係る本発明の離乳子豚の成長促進飼料は、セントジョンズウォート抽出物を有効成分とするものである。
セントジョンズウォートとしては、葉、茎、根、花、実等の植物体の全ての部分を使用することができる。
抽出は、水、熱湯、アルコール（メタノール、エタノール、プロピレングリコールなど）、エステル類（エチルエーテル、アセトニトリル、酢酸エチルエステルなど）、さらに各種有機溶媒（キシレン、ベンゼン、クロロホルムなど）等により行うことができる。
【００１３】
このようなセントジョンズウォート抽出物には、ヒペリシン、偽ヒペリシンなどのナフトジアントロンやヒペルフォリン、アスヒペルフォリンなどのフロログルシノールなどが含まれ、これらが有効成分の本体と考えられる。
セントジョンズウォート抽出物やセントジョンズウォート由来の上記有効成分が、離乳時期の子豚の成長を促進することについては本発明者が初めて発見したものである。
セントジョンズウォート抽出物としては、必要に応じて、市販品を用いることもできる。
【００１４】
なお、セントジョンズウォート抽出物の形態としては、飼料に混合させやすいことから、通常は抽出物を乾燥させた粉末の状態で用いるが、必要に応じて抽出物をそのまま用いることもできる。
【００１５】
請求項１に係る本発明の離乳子豚の成長促進飼料は、離乳時期の子豚の成長を促進するものである。
ここで離乳時期とは、文字通り、子豚を離乳させる時期を指している。生後２１〜２８日目（日齢）の時期が一般的であるが、離乳時期を早めた場合には１２〜１７日目（日齢）の時期のこともあり、飼育方法により一律に定めることはできない。
なお、子豚の品種や飼育方法は、特に限定されない。
【００１６】
このような請求項１に係る本発明の離乳子豚の成長促進飼料は、セントジョンズウォート抽出物を飼料中、０．０００５質量％以上０．０５質量％未満の割合で含有するものであり、好ましくは請求項２に記載したように、飼料中、０．００１質量％以上０．０１質量％未満の割合で含有するものである。ここでセントジョンズウォート抽出物の含有割合が飼料中、０．０００５質量％未満のものであると、離乳時期の子豚の成長が促進されず、本発明の効果を得ることができない。一方、セントジョンズウォート抽出物の含有割合が飼料中、０．０５質量％を超えると、嗜好性が低下し、離乳時期の子豚の食欲が抑制されて充分に摂取されないので、好ましくない。
【００１７】
また、請求項１記載の本発明において、セントジョンズウォート抽出物の代わりに、セントジョンズウォートから抽出された有効成分を含有するものであっても良い。その場合には、上記のセントジョンズウォート抽出物におけるヒペリシンの含有割合から換算して、ヒペリシンを飼料中、０．０１５ｐｐｍ以上１．５ｐｐｍ未満、さらに０．０３ｐｐｍ以上０．３ｐｐｍ未満の割合で含有することが好ましい。
【００１８】
請求項１に係る本発明の離乳子豚の成長促進飼料は、人工乳飼料などの通常離乳時期の子豚に用いられる飼料に所定量のセントジョンズウォート抽出物を添加し、必要に応じて加工、殺菌等して得ることができる。
また、人工乳飼料の他、対象となる子豚の成長度合いなどに応じて、一般的な飼料を用いることもできる。一般的な飼料としては、魚粉、ミートボーンミール、血粉、血漿蛋白、家禽処理副産物、脱脂粉乳、乾燥ホエー、濃縮ホエー蛋白などの動物性原料；大豆粕、ナタネ粕、大豆粉、グルテンミール、脱脂米糠、小麦粉、とうもろこし粉、小麦胚芽、ふすま等の植物性原料；その他に飼料添加物として認可されたビタミン類、アミノ酸類、ミネラル類、抗酸化剤、防カビ剤、粘結剤、乳化剤、合成抗菌剤、抗生物質、着香料、呈味料、酵素などを原料としたものが挙げられる。
【００１９】
請求項１に係る本発明の離乳子豚の成長促進飼料の形態としては、液状、顆粒状、ペレットなどの固形状、粉状などのいずれであっても良く、特に限定されない。
このような請求項１に係る本発明の成長促進飼料は、所望によりラミネート包装、袋詰包装等として密封することができる。
【００２０】
【実施例】
以下、本発明を実施例により詳しく説明するが、本発明はこれによって何ら制限されるものではない。
【００２１】
実施例１
生後２１日目の子豚１０頭を母豚から離乳させ、市販の人工乳飼料（日本配合飼料：人工乳前期用；うるおいＳＸ，人工乳後期用；あんしんＳＸ）のみを投与する子豚５頭（対照区）と、飼料に混合させやすいように粉末化したセントジョンズウォート抽出物を人工乳飼料中０．００１質量％添加したものを給与する子豚５頭（本発明区）とに分け、前期２０日間、後期２０日間の通期４０日間に渡る飼育比較試験を実施した。
日増体量、日飼料摂取量及び飼料要求率を、各区の飼育成績として算出した。日増体量及び日飼料摂取量は、各区の５頭の平均値として算出した。また、日飼料摂取量を日増体量で割ったものを飼料要求率とした。
各区の飼育成績を第１表に示した。なお、第１表中には、括弧内に対照区の飼育成績を１００とした場合の本発明区の飼育成績の比率を併せて示した。
【００２２】
【表１】
第１表（飼育成績）
2004194599.tif 000002
【００２３】
第１表より、セントジョンズウォート抽出物を人工乳飼料中０．００１質量％添加したものを投与した本発明区の飼育成績が、人工乳飼料のみを投与した対照区の飼育成績と比較して大きく改善していることが明らかである。
【００２４】
実施例２
生後２１日目の子豚１６頭を母豚から離乳させ、市販の人工乳飼料（日本配合飼料：人工乳前期用；うるおいＳＸ，人工乳後期用；あんしんＳＸ）のみを投与する子豚８頭（対照区）と、飼料に混合させやすいように粉末化したセントジョンズウォート抽出物を人工乳飼料中０．００５質量％添加したものを給与する子豚８頭（試験区）とに分け、前期１４日間、後期２１日間の通期３５日間に渡る飼育比較試験を実施した。
実施例１と同様に各区の飼育成績を算出した。その結果を第２表に示す。なお、第２表中には、括弧内に対照区の飼育成績を１００とした場合の本発明区の飼育成績の比率を併せて示した。
【００２５】
【表２】
第２表（飼育成績）
2004194599.tif 000003
【００２６】
第２表より、セントジョンズウォート抽出物を人工乳飼料中０．００５質量％添加したものを投与した本発明区の飼育成績が、人工乳飼料のみを投与した対照区の飼育成績と比較して大きく改善していることが明らかである。
【００２７】
比較例１
生後２１日目の子豚８頭を母豚から離乳させ、市販の人工乳飼料（日本配合飼料：うるおいＳＸ）のみを投与する子豚４頭（対照区）と、セントジョンズウォート抽出物を人工乳飼料中０．０５質量％添加したものを給与する子豚４頭（試験区）とに分け、１４日間に渡る飼育比較試験を実施した。
実施例１と同様にして各区の飼育成績を算出した。その結果を第３表に示す。なお、第３表中には、括弧内に対照区の飼育成績を１００とした場合の試験区の飼育成績の比率を併せて示した。
【００２８】
【表３】
第３表（飼育成績）
2004194599.tif 000004
【００２９】
第３表より、セントジョンズウォート抽出物を人工乳飼料中０．０５質量％添加したものを投与した試験区では、人工乳飼料のみを投与した対照区の飼育成績と比較して、増体量と飼料摂取量が２〜３％減少した。この結果より、セントジョンズウォート抽出物を人工乳飼料中０．０５質量％と多く添加しても、飼育成績の改善は認められず、却って悪化させる傾向を示唆するものであった。
【００３０】
以上の結果より、セントジョンズウォート抽出物を有効成分とする本発明の離乳子豚の成長促進飼料は、離乳時期の子豚の成長を充分に促進することができることが分かる。
【００３１】
【発明の効果】
本発明の離乳子豚の成長促進飼料は、効果的に離乳時期の子豚の成長促進を図ることができる。
すなわち、本発明の離乳子豚の成長促進飼料は、子豚の離乳による発育抑制状態を大きく改善することができる。
また、本発明の離乳子豚の成長促進飼料は、本実施例にあるような短期間の利用だけでなく、飼育全期間に利用することもできる。
さらに、体重や性別による組替え時に多発する闘争や尾齧りなどの発生による生産性低下を改善するものである。
よって、本発明は、離乳時期の子豚の成長を充分に促進するものとして、畜産業界において有用である。